(57)【要約】【課題】解体することなくパチンコ遊技機及びスロットマシンのどちらも設置とすることができるとともに、容易かつ円滑にパチンコ遊技機とスロットマシンとを任意選択的に設置することができ、設置状態の切り替え時の作業性を向上することができる島設備を提供する。【解決手段】パチンコ遊技機及びスロットマシンから成る遊技機を任意選択的に設置可能な島設備であって、床面に固設されるとともに、上下に延びる柱部が形成されたフレーム部Ｆと、遊技機を載置可能とされるとともに、載置される遊技機に応じて柱部に沿って上下方向に移動可能な載置台３が取り付けられた載置手段１と、柱部に係止して載置手段１を固定させるとともに、所定の操作によって当該係止を解除して当該載置手段１を柱部に対して上下方向に移動可能とさせ得る操作手段１４とを具備したものである。【選択図】図８
2014108236.tif 000002
【特許請求の範囲】
【請求項１】
パチンコ遊技機及びスロットマシンから成る遊技機を任意選択的に設置可能な島設備であって、
床面に固設されるとともに、上下に延びる柱部が形成されたフレーム部と、
前記遊技機を載置可能とされるとともに、載置される遊技機に応じて前記柱部に沿って上下方向に移動可能な載置台が取り付けられた載置手段と、
前記柱部に係止して前記載置手段を固定させるとともに、所定の操作によって当該係止を解除して当該載置手段を前記柱部に対して上下方向に移動可能とさせ得る操作手段と、
を具備したことを特徴とする島設備。
【請求項２】
前記操作手段は、前記柱部に形成された被係止部と係止可能な係止部を有するとともに、当該係止部を前記被係止部に係止させて前記載置手段を固定させる係止位置と、当該係止部の前記被係止部に対する係止を解除する解除位置との間で移動し得ることを特徴とする請求項１記載の島設備。
【請求項３】
前記操作手段は、操作者が引っ張り操作可能なレバー部を有し、当該レバー部に対する引っ張り操作によって前記係止位置から前記解除位置に移動可能とされたことを特徴とする請求項２記載の島設備。
【請求項４】
前記操作手段は、前記解除位置から前記係止位置に付勢する付勢手段を具備したことを特徴とする請求項２又は請求項３記載の島設備。
【請求項５】
前記載置手段が上方に向かって移動する際、前記操作手段の係止部と当接して当該係止部を前記解除位置に向かって移動させ得る干渉防止部が形成されたことを特徴とする請求項２〜４の何れか１つに記載の島設備。
【発明の詳細な説明】
【技術分野】
【０００１】
本発明は、パチンコ遊技機及びスロットマシンから成る遊技機を任意選択的に設置可能な島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球を補給するための補給レーン（遊技球補給手段）及び当該パチンコ遊技機から遊技球を回収するための回収レーン（遊技球回収手段）が配設されている。一方、パチスロ等のスロットマシンの島設備は、パチンコ遊技機の島設備と同様、パチンコ店内ホールに設置され、複数のスロットマシンが横並びに配設されるとともに、それらスロットマシンに対してメダルを補給するための補給コンベア（メダル補給手段）及び当該スロットマシンからメダルを回収するための回収コンベア（メダル回収手段）が配設されている。なお、かかる先行技術は、文献公知発明に係るものでないため、記載すべき先行技術文献情報はない。
【発明の概要】
【発明が解決しようとする課題】
【０００３】
しかしながら、上記従来の島設備においては、以下の如き問題があった。
パチンコ遊技機が設置された島設備をスロットマシンが設置された島設備に変更する場合、パチンコ遊技機とスロットマシンとでは外観や付帯設備、それに使用される遊技媒体の種類が遊技球とコインとで異なるため、島設備を解体して新たに島設備を設置する必要があり、当該変更に伴うコストや工事期間を要するといった問題があった。
【０００４】
しかるに、パチンコ店内のホールの有効利用や当該ホールにおけるレイアウトの自由度の向上等を目的として、１つの島設備にパチンコ遊技機とスロットマシンとを任意選択的に設置するニーズが高まりつつあることから、本出願人は、かかるニーズに対応することを鋭意検討するに至った。例えば、パチンコ遊技機とスロットマシンとを任意選択的に設置し得る島設備とする場合、パチンコ遊技機の設置状態とスロットマシンの設置状態との間で切り替え作業が必要とされるが、そのような切り替え時の作業性が悪くなってしまう虞がある。
【０００５】
本発明は、このような事情に鑑みてなされたもので、解体することなくパチンコ遊技機及びスロットマシンのどちらも設置とすることができるとともに、容易かつ円滑にパチンコ遊技機とスロットマシンとを任意選択的に設置することができ、設置状態の切り替え時の作業性を向上することができる島設備を提供することにある。
【課題を解決するための手段】
【０００６】
請求項１記載の発明は、パチンコ遊技機及びスロットマシンから成る遊技機を任意選択的に設置可能な島設備であって、床面に固設されるとともに、上下に延びる柱部が形成されたフレーム部と、前記遊技機を載置可能とされるとともに、載置される遊技機に応じて前記柱部に沿って上下方向に移動可能な載置台が取り付けられた載置手段と、前記柱部に係止して前記載置手段を固定させるとともに、所定の操作によって当該係止を解除して当該載置手段を前記柱部に対して上下方向に移動可能とさせ得る操作手段とを具備したことを特徴とする。
【０００７】
請求項２記載の発明は、請求項１記載の島設備において、前記操作手段は、前記柱部に形成された被係止部と係止可能な係止部を有するとともに、当該係止部を前記被係止部に係止させて前記載置手段を固定させる係止位置と、当該係止部の前記被係止部に対する係止を解除する解除位置との間で移動し得ることを特徴とする。
【０００８】
請求項３記載の発明は、請求項２記載の島設備において、前記操作手段は、操作者が引っ張り操作可能なレバー部を有し、当該レバー部に対する引っ張り操作によって前記係止位置から前記解除位置に移動可能とされたことを特徴とする。
【０００９】
請求項４記載の発明は、請求項２又は請求項３記載の島設備において、前記操作手段は、前記解除位置から前記係止位置に付勢する付勢手段を具備したことを特徴とする。
【００１０】
請求項５記載の発明は、請求項２〜４の何れか１つに記載の島設備において、前記載置手段が上方に向かって移動する際、前記操作手段の係止部と当接して当該係止部を前記解除位置に向かって移動させ得る干渉防止部が形成されたことを特徴とする。
【発明の効果】
【００１１】
請求項１の発明によれば、床面に固設されるとともに、上下に延びる柱部が形成されたフレーム部と、遊技機を載置可能とされるとともに、載置される遊技機に応じて柱部に沿って上下方向に移動可能な載置台が取り付けられた載置手段と、柱部に係止して載置手段を固定させるとともに、所定の操作によって当該係止を解除して当該載置手段を柱部に対して上下方向に移動可能とさせ得る操作手段とを具備したので、解体することなくパチンコ遊技機及びスロットマシンのどちらも設置とすることができるとともに、容易かつ円滑にパチンコ遊技機とスロットマシンとを任意選択的に設置することができ、設置状態の切り替え時の作業性を向上することができる。
【００１２】
請求項２の発明によれば、操作手段は、柱部に形成された被係止部と係止可能な係止部を有するとともに、当該係止部を被係止部に係止させて載置手段を固定させる係止位置と、当該係止部の被係止部に対する係止を解除する解除位置との間で移動し得るので、載置手段の柱部に対する係止及び係止の解除をより確実に行わせることができる。
【００１３】
請求項３の発明によれば、操作手段は、操作者が引っ張り操作可能なレバー部を有し、当該レバー部に対する引っ張り操作によって係止位置から解除位置に移動可能とされたので、載置手段の柱部に対する係止の解除操作をより円滑かつ容易に行わせることができる。
【００１４】
請求項４の発明によれば、操作手段は、解除位置から係止位置に付勢する付勢手段を具備したので、操作手段を操作する操作者の手を緩めれば自然に載置手段を柱部に係止させることができ、載置手段の柱部に対する係止をより円滑かつ確実に行わせることができる。
【００１５】
請求項５の発明によれば、載置手段が上方に向かって移動する際、操作手段の係止部と当接して当該係止部を解除位置に向かって移動させ得る干渉防止部が形成されたので、操作手段に対する操作が行われない状態で載置手段を上方に向かって移動させても、操作手段が被係止部と干渉してしまうのを防止することができる。
【図面の簡単な説明】
【００１６】
【図１】本発明の実施形態に係る島設備を示す全体正面図
【図２】同島設備を示す横断面図
【図３】同島設備における載置手段を示す全体正面図
【図４】同載置手段（載置台が前後方向第１位置にある状態）を示す縦断面図
【図５】同載置手段（載置台が前後方向第２位置にある状態）を示す縦断面図
【図６】同島設備における案内部を示す断面図
【図７】同島設備における操作手段を示す４面図
【図８】同操作手段を示す側面図であって、（ａ）操作手段が係止位置にある状態を示す側面図（ｂ）操作手段が解除位置にある状態を示す側面図
【図９】同操作手段の係止部（載置手段が第２位置にある状態）が被係止部に係止した状態を示す側面図
【図１０】同操作手段の係止部（載置手段が第２位置にある状態）が被係止部に係止した状態を示す正面図
【図１１】同操作手段の係止部（載置手段が第１位置にある状態）が被係止部に係止した状態を示す側面図
【図１２】同操作手段の係止部（載置手段が第１位置にある状態）が被係止部に係止した状態を示す正面図
【図１３】同島設備におけるガタ防止手段を示す３面図
【図１４】同ガタ防止手段が取り付けられた状態の載置手段を示す側面図
【図１５】同ガタ防止手段の操作状態を示す模式図
【図１６】同島設備における落下防止手段を示す模式図であって、（ａ）載置手段が第１位置にあるときの状態（ｂ）載置手段が第２位置にあるときの状態を示す模式図
【図１７】同島設備における支持手段を示す正面図及び側面図
【図１８】同載置手段における載置台を示す平面図及び背面図
【図１９】図１８におけるＸＩＸ−ＸＩＸ線断面図
【図２０】同島設備における他の載置手段を示す全体正面図
【図２１】同島設備における遊技球案内手段及びメダル案内手段を示す平面図
【図２２】同島設備における遊技球案内手段を示す側面図
【図２３】同島設備におけるメダル案内手段を示す側面図及び平面図
【図２４】同島設備における遊技球案内手段及びメダル案内手段を示す断面図
【図２５】同島設備における遊技球回収手段及びメダル回収手段を示す正面図
【図２６】同島設備における遊技球回収手段及びメダル回収手段を示す平面図
【図２７】同島設備における（ａ）遊技球回収手段（ｂ）メダル回収手段を示す断面図
【図２８】同島設備における遊技球補給手段及びメダル補給手段を示す平面図
【図２９】同島設備における遊技球補給手段及びメダル補給手段を示す断面図
【図３０】同島設備における遊技球補給手段における第１案内手段を示す正面図
【図３１】同島設備におけるメダル補給手段における第２案内手段を示す正面図
【発明を実施するための形態】
【００１７】
以下、本発明の実施形態について図面を参照しながら具体的に説明する。
本実施形態に係る島設備は、パチンコ遊技店内のホール等、遊技場の床に固定されるもので、図１、２に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意選択的に設置可能とされるとともに、載置手段１と、遊技球回収手段４と、メダル回収手段５と、遊技球案内手段６と、メダル案内手段８と、遊技球補給手段１１と、メダル補給手段１２、操作手段１４と、ガタ防止手段１５と、落下防止手段１８と、支持手段１９とを有して構成されている。なお、図中符号１３は、遊技者が着座するための遊技機用椅子を示している。
【００１８】
本実施形態に係る島設備は、床面ｆに固設されたフレーム部Ｆを筐体として構成されており、当該フレーム部Ｆの所定位置には、複数の柱部Ｈ１〜Ｈ５が取り付けられるとともに、その隣接する柱部Ｈの間の部位には、載置台３を有した載置手段１が取り付けられている。かかる載置手段１は、図３〜５に示すように、左右一対の側板部２ａと、当該側板部２ａを連結する下板部２ｃ及び上板部２ｂとから成る枠体２を有し、載置台３が当該枠体２の所定部位に取り付けられて構成されている。
【００１９】
枠体２は、一対の側板部２ａと、一対の側板部２ａの下部を互いに連結する下板部２ｃと、一対の側板部２ａの上部を互いに連結する上板部２ｂとにより略ロ字状に構成されるとともに、載置台３を取り付ける位置には固定板部２ｄが固定されている。かかる固定板部２ｄは、上板部２ｂ及び下板部２ｃと同様、一対の側板部２ａを互いに連結するものとされるとともに、載置台３を前後方向第１位置Ｐｂ（図４参照）と前後方向第２位置Ｓｂ（図５参照）との何れかで固定可能とされている。
【００２０】
より具体的には、本実施形態に係る載置台３は、図１８、１９に示すように、下側板部３ａと上側板部３ｂとを接合（接着等）させて成るもので、所定位置には、一端側に前進位置用ボルト挿通位置ｈ１及び他端側に後退位置用ボルト挿通位置ｈ２がそれぞれ設定された長孔ｈが形成されている。なお、同図中符号ｂは、下側板部３ａの突端部及び上面と、上側板部３ｂの突端部及びその近傍を覆って保護する金属製板材を示している。
【００２１】
そして、固定板部２ｄには、載置台３の前進位置用ボルト挿通位置ｈ１又は後退位置用ボルト挿通位置ｈ２と合致し得るボルト孔がそれぞれ形成されており、図４に示すように、前進位置用ボルト挿通位置ｈ１と固定板部２ｄのボルト孔を合致させつつボルトＢ３を螺合させることにより、載置台３を前後方向第１位置Ｐｂにて固定板部２ｄに固定させ得るとともに、図５に示すように、後退位置用ボルト挿通位置ｈ２と固定板部２ｄのボルト孔を合致させつつボルトＢ３を螺合させることにより、載置台３を前後方向第２位置Ｓｂにて固定板部２ｄに固定させ得るよう構成されている。
【００２２】
すなわち、本実施形態に係る載置台３は、載置された遊技機（パチンコ遊技機Ｐ又はスロットマシンＳ）に応じて前後方向（図３における紙面垂直方向）に移動して所定位置にて固定可能とされており、パチンコ遊技機Ｐが載置された状態の前後方向第１位置Ｐｂ（図４参照）と、スロットマシンＳが載置された状態の前後方向第２位置Ｓｂ（図５参照）との間で移動可能とされるとともに、当該前後方向第１位置Ｐｂの方が前後方向第２位置Ｓｂより前方の位置（遊技者側に突出した位置）に設定されている。
【００２３】
また、枠体２を構成する上板部２ｂは、載置台３に載置された遊技機（パチンコ遊技機Ｐ又はスロットマシンＳ）の上部を支持し得る位置に設定されている。しかして、本実施形態に係る載置手段１は、枠体２に対して載置台３が前後に移動可能とされ、かつ、当該載置台３に載置された遊技機の上部を上板部２ｂにて支持するものとされている。これにより、載置台３上に載置された遊技機（パチンコ遊技機Ｐ又はスロットマシンＳ）を枠体２に対して確実かつ安定して固定することができる。
【００２４】
さらに、載置手段１が取り付けられる柱部（Ｈ１〜Ｈ５）には、図６に示すように、載置手段１を構成する枠体２の上下方向に対する移動を案内する案内部Ｈ２ａが形成されている。なお、柱部Ｈ２に形成された案内部Ｈ２ａについて説明するが、他の柱部に形成された案内部も同様の構成である。案内部Ｈ２ａは、柱部（Ｈ１〜Ｈ５）の内壁に上下方向に延びて形成された断面コ字状の溝形状から成り、この溝形状に枠体２の側板部２ａが上下方向に移動可能に嵌合されることにより、枠体２の上下方向に対する移動を案内し得るようになっている。しかして、載置台３は、載置された遊技機（載置しようとするパチンコ遊技機Ｐ又はスロットマシンＳ）に応じて柱部（Ｈ１〜Ｈ５）に沿って上下方向に移動可能とされているのである。
【００２５】
また、本実施形態に係る載置台３は、図２に示すように、枠体２と共に上下方向に移動可能とされ、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されている。すなわち、柱部（Ｈ１〜Ｈ５）の内壁には、上下一対のボルト及びナット等から成るボス部Ｂ１、Ｂ２（被係止部）（図１０、１２参照）が突出形成されており、載置台３を上側のボス部Ｂ１に係合することにより、パチンコ遊技機Ｐが載置された状態の第１位置Ｐａにて載置手段１を固定させ得るとともに、載置台３を下側のボス部Ｂ２に係合することにより、スロットマシンＳが載置された状態の第２位置Ｓａにて載置手段１を固定させ得るようになっている。
【００２６】
ここで、本実施形態における載置手段１には、その下板部２ｃの両端部（左右両端部）にそれぞれ操作手段１４が取り付けられている。かかる操作手段１４は、柱部（Ｈ１〜Ｈ５）に形成されたボス部Ｂ１又はボス部Ｂ２に係止して載置手段１を第１位置Ｐａ又は第２位置Ｓａにて固定させるとともに、所定の操作によって当該係止を解除して当該載置手段１を柱部（Ｈ１〜Ｈ５）に対して上下方向に移動可能とさせ得るものとされている。
【００２７】
より具体的には、操作手段１４は、図７に示すように、下板部２ｃの下面に固定される筐体Ｋと、係止部１４ａと、レバー部１４ｂと、付勢手段としてのコイルスプリング１４ｃとから主に構成されている。係止部１４ａは、金属製板状部材の一端をプレスにて折り曲げして形成して得られた部位から成り、図９〜１２で示すように、ボス部Ｂ１及びボス部Ｂ２と係合し得る弧状の切欠き１４ａａ、１４ａｂを有している。
【００２８】
しかして、本実施形態に係る操作手段１４（具体的には、係止部１４ａが形成された金属製板状部材）は、図８（ａ）に示すように、係止部１４ａをボス部Ｂ１又はボス部Ｂ２（被係止部）に係止させて載置手段１を固定させる係止位置と、図８（ｂ）に示すように、当該係止部１４ａのボス部Ｂ１又はボス部Ｂ２（被係止部）に対する係止を解除する解除位置との間で移動し得るよう構成されている。
【００２９】
レバー部１４ｂは、一端に係止部１４ａが形成された金属製板状部材の他端をプレスにて折り曲げ形成して得られた部位から成り、操作者が把持し、図８（ａ）中矢印方向（左方向）に引っ張り操作可能なものである。そして、かかるレバー部１４ｂに対する引っ張り操作によって、操作手段１４（係止部１４ａが形成された金属製板状部材）は、図８（ａ）で示す係止位置から図８（ｂ）で示す解除位置に移動可能とされている。すなわち、レバー部１４ｂを引っ張り操作することにより、係止部１４ａ及びレバー部１４ｂが形成された金属製板状部材は、筐体Ｋに対して移動し、係止位置から解除位置に至るよう構成されているのである。
【００３０】
筐体Ｋには、下方に突出した突出部１４ｄが固定されており、この突出部１４ｄとレバー部１４ｂとの間には、コイルスプリング１４ｃ（付勢手段）が取り付けられている。すなわち、コイルスプリング１４ｃは、その一端が突出部１４ｄに取り付けられるとともに、他端がレバー部１４ｂに取り付けられており、操作手段１４（係止部１４ａが形成された金属製板状部材）を解除位置（図８（ｂ）参照）から係止位置（図８（ａ）参照）に付勢し得るようになっている。これにより、レバー部１４ｂに対する引っ張り操作によって、操作手段１４（係止部１４ａが形成された金属製板状部材）を係止位置から解除位置に移動させた後、操作する手を緩めれば、操作手段１４（係止部１４ａが形成された金属製板状部材）が自然と（自動的に）解除位置から係止位置に戻るようになっている。
【００３１】
ところで、柱部（Ｈ１〜Ｈ５）におけるボス部Ｂ１及びボス部Ｂ２が形成された部位には、図９〜１２に示すように、載置手段１の柱部（Ｈ１〜Ｈ５）に対する係止を解除するのを規制する規制手段Ｃ１、Ｃ２が取り付けられている。かかる規制手段Ｃ１、Ｃ２は、例えば金属製板状部材をプレスにて折り曲げ加工して得られたもので、操作手段１４の操作（レバー部１４ｂに対する引っ張り操作）を規制し得るよう構成されている。
【００３２】
具体的には、載置手段１を第２位置Ｓａで固定させるべく、操作手段１４の係止部１４ａを下側のボス部Ｂ２に係止させた状態とすると、図９に示すように、係止部１４ａは、柱部（Ｈ１〜Ｈ５）と規制手段Ｃ２との間の隙間に入り込んだ状態とされる。このとき、図１０に示すように、ハッチングで示す規制範囲Ｃ２ａにおいて係止部１４ａと規制手段Ｃ２が重なり合うこととなり、この状態でレバー部１４ｂを引っ張り操作しても、係止部１４ａの移動が規制手段Ｃ２の規制範囲Ｃ２ａによって規制されるようになっている。
【００３３】
また、載置手段１を第１位置Ｐａで固定させるべく、操作手段１４の係止部１４ａを上側のボス部Ｂ１に係止させた状態とすると、図１１に示すように、係止部１４ａは、柱部（Ｈ１〜Ｈ５）と規制手段Ｃ１との間の隙間に入り込んだ状態とされる。このとき、図１２に示すように、ハッチングで示す規制範囲Ｃ１ａ、Ｃ１ｂにおいて係止部１４ａと規制手段Ｃ１が重なり合うこととなり、この状態でレバー部１４ｂを引っ張り操作しても、係止部１４ａの移動が規制手段Ｃ１の規制範囲Ｃ１ａ、Ｃ１ｂによって規制されるようになっている。
【００３４】
しかして、載置手段１が第２位置Ｓａに位置するときは、操作手段１４のレバー部１４ｂを操作しない状態で単に上方に移動させることにより、載置手段１を第１位置Ｐａまで移動させることができる。また、載置手段１が第１位置Ｐａに位置するときは、載置手段１（枠体２）を一旦持ち上げ、係止部１４ａを規制手段Ｃ１の規制範囲Ｃ１ａ、Ｃ１ｂより上方の位置とした後、レバー部１４ｂを引っ張り操作すれば、ボス部Ｂ１との係止が解かれるので、載置手段１を第２位置Ｓａまで移動させることができる。
【００３５】
さらに、本実施形態に係る規制手段Ｃ１には、干渉防止部Ｃ１ｃが一体形成されている。かかる干渉防止部Ｃ１ｃは、規制手段Ｃ１の一部をプレス等にて成形して得られたテーパ状の部位（下方から上方に向かって上り勾配の部位）から成り、載置手段１が上方（上側のボス部Ｂ１）に向かって移動する際、操作手段１４の係止部１４ａと当接して当該係止部１４ａを解除位置（図９、１１中左側）に向かって移動させ得るものである。
【００３６】
具体的には、載置手段１を上方に向かって移動する過程において、係止部１４ａが干渉防止部Ｃ１ｃに至り、解除位置に向かう方向に押圧されるとともに、その状態から更に載置手段１を上方に移動させると、干渉防止部Ｃ１ｃのテーパ面の傾斜角度に応じて係止部１４ａも更に解除位置に向かって移動する。そして、係止部１４ａがボス部Ｂ１の突端よりも解除位置側（図１１中左側）に位置すると、干渉防止部Ｃ１ｃの終端に至るとともに、係止部１４ａがボス部Ｂ１より上方に位置するようになっている。これにより、操作手段１４が上方に移動する際、係止部１４ａにおける切欠き１４ａａ、１４ａｂが形成されない側にボス部Ｂ１が干渉してしまうのを防止することができるとともに、係止部１４ａの切欠き１４ａａ、１４ａｂにてボス部Ｂ１に係止させることができる。
【００３７】
さらに、本実施形態においては、図１４に示すように、載置手段１が所定高さに固定された状態で柱部（Ｈ１〜Ｈ５）との間の隙間（枠体２を構成する側板部２ａと柱部（Ｈ１〜Ｈ５）との間の隙間）により生じるガタを防止するガタ防止手段１５を具備している。すなわち、枠体２を構成する側板部２ａは、その幅寸法が柱部（Ｈ１〜Ｈ５）における案内部Ｈ２ａの幅寸法より小さく設定されており、当該側板部２ａと案内部Ｈ２ａとの間の隙間にガタ防止手段１５が位置しているのである。
【００３８】
より具体的には、本実施形態に係るガタ防止手段１５は、枠体２の側板部２ａに形成されたもので、図１３に示すように、側板部２ａの所定部位に取り付けられる揺動軸１５ｂを中心として揺動可能なアーム部１５ａと、アーム部１５ａに形成されるとともに、操作者が把持し得る把持部１５ａａと、アーム部１５ａに形成された突出部１６と、突出部１６を突出方向（図１３中右方向）に付勢する付勢手段としてのコイルスプリング１７とから主に構成されている。
【００３９】
しかして、突出部１６は、側板部２ａから案内部Ｈ２ａに向かって突出形成されており、コイルスプリング１７による付勢力にて突出部１６の突端部を案内部Ｈ２ａに当接させることにより、側板部２ａと柱部（Ｈ１〜Ｈ５）との間の隙間をガタ防止手段１５にて埋めることができ、載置手段１を任意高さで固定させた状態において枠体２に生じるガタを防止することができる。
【００４０】
さらに、本実施形態に係る突出部１６は、側板部２ａの所定部位に取り付けられる揺動軸１５ｂを中心として揺動可能なアーム部１５ａに形成されるとともに、図１５に示すように、操作者が把持部１５ａａを把持しつつ当該アーム部１５ａを揺動操作することにより、突出部１６が案内部Ｈ２ａと当接する当接位置（図中２点鎖線で示した位置）と、当該突出部１６が案内部Ｈ２ａから離間した離間位置（図中実線で示した位置）との間で移動可能とされている。
【００４１】
すなわち、載置手段１を柱部（Ｈ１〜Ｈ５）に沿って上下に移動させる際には、突出部１６を離間位置として枠体２の円滑な移動を行わせるとともに、載置手段１を所定位置にて固定させた際（操作手段１４の係止部１４ａをボス部Ｂ１又はボス部Ｂ２に係止させた際）には、アーム部１５ａを揺動操作して突出部１６を当接位置とすることにより、枠体２に生じるガタを防止するのである。なお、突出部１６が当接位置に至る過程において、コイルスプリング１７が圧縮されるので、アーム部１５ａの揺動操作をより円滑かつ容易に行わせることができる。
【００４２】
またさらに、本実施形態においては、載置手段２が所定高さに固定された状態で、その固定位置から下方に落下するのを防止する落下防止手段１８を具備している。かかる落下防止手段１８は、図１６に示すように、載置手段１の移動方向に伸縮可能なリンク状部材から成るとともに、当該リンク状部材は、第１部材１８ａと、第２部材１８ｂと、第３部材１８ｃと、第４部材１８ｄとをそれぞれ揺動自在に連結させて構成されている。そして、第１部材１８ａの一端に形成された取付部１８ａａが載置手段１を構成する枠体２の側板部２ａに固定されるとともに、第４部材１８ｄの一端に形成された取付部１８ｄａが柱部（Ｈ１〜Ｈ５）における案内部Ｈ２ａの所定部位に固定されている。
【００４３】
しかして、落下防止手段１８は、載置手段１が第１位置Ｐａ（パチンコ遊技機Ｐを設置する場合の位置）にあるとき、図１６（ａ）に示すように、上下方向（載置手段１の移動方向）に対して寸法が大きくなり得る状態（第１部材１８ａ及び第４部材１８ｄに対して第２部材１８ｂ及び第３部材１８ｃが屈曲した状態）とされるとともに、載置手段１が第２位置Ｓａ（スロットマシンＳを設置する場合の位置）にあるとき、図１６（ｂ）に示すように、上下方向（載置手段１の移動方向）に対して伸びきった状態（第１部材１８ａ及び第４部材１８ｄに対して第２部材１８ｂ及び第３部材１８ｃが略直線状になった状態）とされる。これにより、落下防止手段１８は、載置すべき遊技機に応じて載置手段１が第１位置Ｐａと第２位置Ｓａとの間で移動するのを許容しつつ第２位置Ｓａより下方に落下するのを防止し得るようになっている。
【００４４】
以上のように、本実施形態に係る載置台３は、パチンコ遊技機Ｐを載置させる際は、固定板部２ｄに対して前後方向第１位置Ｐｂに固定されるとともに、柱部（Ｈ１〜Ｈ５）に対して上側の位置である第１位置Ｐａに固定され、かつ、スロットマシンＳを載置させる際は、固定板部２ｄに対して前後方向第２位置Ｓｂに固定されるとともに、柱部（Ｈ１〜Ｈ５）に対して下側の位置である第２位置Ｓａに固定されるのである。そして、前後方向第１位置Ｐｂの方が前後方向第２位置Ｓｂより前方の位置（遊技者側に突出した位置）に設定されているとともに、第１位置Ｐａの方が第２位置Ｓａより高い位置に設定されている。
【００４５】
また、本実施形態に係る載置手段１は、図１に示すように、１つの載置台３に複数のパチンコ遊技機Ｐ又は複数のスロットマシンＳ（本実施形態においては、２台のパチンコ遊技機Ｐ又は２台のスロットマシンＳ）を載置させるように設定されている。すなわち、載置台３を遊技機が複数台設置できる幅寸法とすることで、１つの載置台３に同種の遊技機（パチンコ遊技機Ｐ又はスロットマシンＳ）を複数設置することができ、島設備に必要とされる柱部の数を低減させることができるのである。なお、本実施形態においては、１つの載置台３に対して同種の遊技機が２台設置されているが、３台以上の同種の遊技機を設置するようにしてもよい。
【００４６】
さらに、本実施形態においては、載置手段１の下部から床面ｆまで延設され、当該載置手段１を支持するとともに、載置台３の固定位置に応じて長さ寸法が調整可能とされた支持手段１９が任意位置に取り付けられている。かかる支持手段１９は、図１７に示すように、上側脚部１９ａと下側脚部１９ｂとを上下方向に対して略直線状に連結させて構成されるとともに、これら上側脚部１９ａと下側脚部１９ｂとの連結位置を調整可能な高さ調整手段２０を具備している。
【００４７】
具体的には、上側脚部１９ａ及び下側脚部１９ｂは、それぞれ筒状に形成されるとともに、上側脚部１９ａの下部の内部に下側脚部１９ｂの上部が挿通した状態とされており、その挿通部位の寸法を任意に設定しつつ、高さ調整手段２０にて上側脚部１９ａと下側足部１９ｂとを固定（例えば、上側脚部１９ａ及び下側脚部１９ｂの挿通部位に対して高さ調整手段２０を嵌合して両者を固定）させることにより、支持手段１９全体としての高さ寸法を任意に設定することができるのである。
【００４８】
すなわち、上側脚部１９ａに対して下側脚部１９ｂの上部を大きな寸法だけ挿通させつつ高さ調整手段２０にて両者を固定させれば、支持手段１９の全体の高さ寸法は小さくなり、第２位置Ｓａにて固定された載置手段１を支持することができるとともに、上側脚部１９ａに対して下側脚部１９ｂの上部をより小さな寸法だけ挿通させつつ高さ調整手段２０にて両者を固定させれば、支持手段１９の全体の高さ寸法は大きくなり、第１位置Ｐａにて固定された載置手段１を支持することができるのである。これにより、載置台３の固定位置に応じて長さ寸法が調整され、載置手段１（枠体２）を支持することができる。
【００４９】
さらに、上側脚部１９ａの上端部には、取り付け部材１９ａａが固定されている。かかる取り付け部材１９ａａは、載置手段１の枠体２を構成する下板部２ｃの下面における任意位置（載置手段１の幅方向或いは前後方向の任意位置）にネジやボルト等により取り付け可能とされている。これにより、支持手段１９は、載置手段１の下部における任意位置に取り付け可能とされ、その位置で載置手段１を支持するよう構成されている。
【００５０】
なお、下側脚部１９ｂの下端部には、微調整用部材１９ｂａがネジ止めされている。この微調整用部材１９は、一方の方向に回転すると、下側脚部１９ｂの下端からの突出寸法が大きくなり、他方の方向に回転すると、下側脚部１９ｂの下端からの突出寸法が小さくなるよう構成されている。したがって、微調整用部材１９ｂａを任意方向に回転させることにより、支持手段１９全体の長さ寸法を微調整し得るようになっている。
【００５１】
しかるに、本実施形態に係る島設備においては、同種の遊技機を複数台設置可能な載置手段１に加え、図２０に示すように、遊技機を１台載置可能な載置手段１’（一対の側板部２’ａと、下板部２’ｃ及び上板部２’ｂと、固定板部２’ｄとを有する載置手段１’）が取り付けられている。かかる載置手段１’は、載置台３’の幅寸法が遊技機１台分に設定された点においては幅寸法が遊技機２台分に設定された載置手段１と相違するものの、その他においては、上記した載置手段１と同様の構成及び機能を有するものである。
【００５２】
遊技球回収手段４は、パチンコ遊技機Ｐから排出された遊技球を回収するためのもので、図１に示すように、島設備の長手方向に沿って延設された搬送コンベアにて構成されている。かかる遊技球回収手段４は、図２５〜２７に示すように、駆動源としてのモータＭ１と、該モータＭ１の駆動力により回動する搬送体ｃ１と、該搬送体ｃ１を懸架する駆動プーリＰ１及び従動プーリＰ２（図１参照）とを有して構成されている。
【００５３】
搬送体ｃ１は、樹脂部品を長手方向に複数組み合わせた無端状部材から成るもので、図２７（ａ）に示すように、その搬送面には、搬送部ｅと、凸部ｄと、孔部ｇとが形成されている。そして、パチンコ遊技機Ｐから排出されて搬送体ｃ１に至った遊技球ｙは、同図に示すように、その下部が孔部ｇに嵌りつつ当該搬送体ｃ１の回動方向に搬送されることとなる。また、搬送体ｃ１の搬送部（図中上部の往動側）の下面には、同図に示すように、板材ｆが延設されており、当該板材ｆの上面において搬送体ｃ１の搬送部が摺動し得るよう構成されている。
【００５４】
メダル回収手段５は、スロットマシンＳから排出されたメダルを回収するためのもので、図１に示すように、島設備の長手方向に沿って延設された搬送コンベアにて構成されている。かかるメダル回収手段５は、図２５〜２７に示すように、駆動源としてのモータＭ２と、該モータＭ２の駆動力により回動する搬送体ｃ２と、該搬送体ｃ２を懸架する駆動プーリＰ３及び従動プーリＰ４（図１参照）とを有して構成されている。
【００５５】
搬送体ｃ２は、搬送体ｃ１と同様、樹脂部品を長手方向に複数組み合わせた無端状部材から成るもので、図２７（ｂ）に示すように、その搬送面には、搬送部ｅと、凸部ｄと、孔部ｇとが形成されている。そして、スロットマシンＳから排出されて搬送体ｃ２に至ったメダルｑは、同図に示すように、凸部ｄに引っ掛かりつつ当該搬送体ｃ２の回動方向に搬送されることとなる。また、搬送体ｃ２の搬送部（図中上部の往動側）の下面には、同図に示すように、板材ｆが延設されており、当該板材ｆの上面において搬送体ｃ２の搬送部が摺動し得るよう構成されている。
【００５６】
ここで、本実施形態においては、図２４に示すように、遊技球回収手段４を構成する搬送コンベアは、島設備のフレームＦａ上に配設されるとともに、メダル回収手段５を構成する搬送コンベアは、フレームＦａより下方に位置する島設備のフレームＦｂ上に配設されている。すなわち、本実施形態においては、島設備内において、遊技球回収手段４とメダル回収手段５とが上下に並設されるとともに、遊技球回収手段４の方がメダル回収手段５より上側に位置しているのである。
【００５７】
また、本実施形態に係る遊技球回収手段４及びメダル回収手段５は、それぞれ独立した駆動源としてのモータＭ１、Ｍ２を具備するとともに、それぞれが任意速度で駆動され得るよう構成されている。これにより、遊技球回収手段４の搬送体ｃ１の回動速度（搬送速度）とメダル回収手段５の搬送体ｃ２の回動速度（搬送速度）とを異ならせることができ、例えば遊技球回収手段４の搬送体ｃ１の回動速度をメダル回収手段５の搬送体ｃ２の回動速度より遅く設定することにより、遊技球を確実かつ安定して搬送させることができる。なお、図２６中符号Ｍ１ａ、Ｍ２ａは、モータＭ１、Ｍ２の出力軸を示しており、当該出力軸Ｍ１ａと駆動プーリＰ１、及び出力軸Ｍ２ａと駆動プーリＰ３とが連結され、モータＭ１、Ｍ２の駆動力が搬送体ｃ１、ｃ２にそれぞれ伝達され得るようになっている。
【００５８】
さらに、本実施形態に係る遊技球回収手段４及びメダル回収手段５は、図２４に示すように、島設備の幅方向Ｗに対して中央で延設されている。すなわち、遊技球回収手段４及びメダル回収手段５は、島設備の一方の面に設置された遊技機（例えば、同図に示すように、左側の面に設置されたパチンコ遊技機Ｐ）との間の離間寸法と、他方の面に設置された遊技機（例えば、同図に示すように、右側の面に設置されたスロットマシンＳ）との間の離間寸法とが略同一とされつつ島設備の長手方向に延設されているのである。
【００５９】
遊技球回収手段４の上部には、図２２、２４に示すように、パチンコ遊技機Ｐから排出された遊技球を遊技球回収手段４まで案内する遊技球案内手段６が配設されている。かかる遊技球案内手段６は、遊技球回収手段４の上部における左右に配設された受け部材から成り、パチンコ遊技機Ｐから排出された遊技球を受けて遊技球回収手段４まで案内し得る受け面が形成されるとともに、それぞれの遊技球案内手段６は、支持フレーム７にて揺動可能に支持されている。具体的には、遊技球案内手段６は、支持フレーム７に形成された揺動軸Ｌを中心に揺動可能とされ、遊技球を受け得る受け位置（図２２の左側の状態）と、上方に跳ね上げられた状態の退避位置（同図の右側の状態）との間を移動可能とされている。
【００６０】
すなわち、本実施形態に係る遊技球案内手段４は、載置手段１にパチンコ遊技機Ｐを載置した際、受け位置とされて、パチンコ遊技機Ｐから排出された遊技球を受け面にて受けつつ遊技球回収手段４まで案内し得るとともに、載置手段１にスロットマシンＳを載置した際、支持フレーム７に形成された揺動軸Ｌを中心に揺動して跳ね上げられることで、スロットマシンＳからメダル回収手段５までの間のメダルの排出経路（本実施形態においては、後述するメダル案内手段８が取り付けられる部位）から外れた退避位置（跳ね上げた状態）まで移動可能とされているのである。
【００６１】
また、遊技球案内手段６は、図２１に示すように、載置手段１（載置台３）の幅と対応した幅寸法に設定されており、島設備の長手方向に亘って複数形成されている。しかして、パチンコ遊技機Ｐが載置された載置手段１に対応する遊技球案内手段６は、遊技球を受け得る受け位置とされ、スロットマシンＳが載置された載置手段１に対応する遊技球案内手段６は、上方に跳ね上げられた状態（退避位置）とされる。なお、遊技球案内手段６は、遊技球を受け得る受け位置のとき、遊技球回収手段４に向かって所定角度傾斜した状態とされている。これにより、パチンコ遊技機Ｐから排出されて落下した遊技球は、遊技球案内手段６にて受けられ、そこから自重により転がって遊技球回収手段４に至るようになっている。
【００６２】
一方、載置手段１に取り付けられた載置台３は、図１８、２１に示すように、遊技機を載置する部位の近傍に切欠きｋが形成されており、その載置台３に載置されたスロットマシンＳから排出されたメダルをメダル回収手段５まで案内するメダル案内手段８が当該切欠きｋに取付可能とされている。かかるメダル案内手段８は、図２３に示すように、上部に形成された開口部８ａにてメダルを受け得るとともに、そのメダルを下部に形成された開口部８ｂから排出させ得るものである。
【００６３】
このメダル案内手段８は、遊技球案内手段４が跳ね上げられて退避位置とされた状態で、スロットマシンＳが載置された載置手段１の切欠きｋに対して任意選択的に取り付けられるものとされ、当該切欠きｋに取り付けられた状態において、上部の開口部８ａが上方を臨むようになっており、スロットマシンＳから排出されて落下するメダルを受け得るとともに、下方の開口部８ｂがメダル回収手段５に臨むようになっており、上方の開口部８ａで受けたメダルをメダル回収手段５まで案内し得るよう構成されている。
【００６４】
なお、スロットマシンＳが載置された載置手段１にパチンコ遊技機Ｐを載置させる場合、メダル案内手段８を切欠きｋから取り外すとともに、遊技球案内手段６を退避位置から受け位置に揺動させる。また、パチンコ遊技機Ｐが載置された載置手段１にスロットマシンＳを載置させる場合、遊技球案内手段６を受け位置から退避位置に揺動させるとともに、メダル案内手段８を切欠きｋに取り付けるものとされている。
【００６５】
本実施形態に係る島設備の一方の端部（遊技球及びメダルが搬送される側）には、図１に示すように、遊技球揚送手段９及びメダル揚送手段１０がそれぞれ配設されており、遊技球回収手段４で搬送された遊技球を遊技球揚送手段９にて上方に揚送するとともに、メダル回収手段５で搬送されたメダルをメダル揚送手段１０にて上方に揚送し得るよう構成されている。そして、これら遊技球揚送手段９及びメダル揚送手段１０にて揚送された遊技球及びメダルは、それぞれ遊技球補給手段１１及びメダル補給手段１２に至るようになっている。
【００６６】
遊技球補給手段１１及びメダル補給手段１２は、島設備の上部において当該島設備の長手方向に沿って延設されたもので、図２８、２９に示すように、左右に並設された搬送コンベアから成る。すなわち、図２９に示すように、搬送コンベアを構成する本体ｆ１の略中央に仕切り部材ｆ２を取り付けるとともに、当該仕切り部材ｆ２で隔成された同図右側の部位を遊技球を搬送するための遊技球補給手段１１とし、同図左側の部位をメダルを搬送するためのメダル補給手段１２としているのである。
【００６７】
遊技球補給手段１１は、パチンコ遊技機Ｐに遊技球を補給するためのもので、図１に示すように、モータＭ３の出力軸と連結された駆動プーリＰ５と従動プーリＰ６との間に懸架されつつ回動可能な無端状の搬送ベルト１１ａを有して構成されている。また、本体ｆ１の側面（図２８、２９中右側の側面）には、当該図２８、２９に示すように、延設部ｆ３が形成されており、当該延設部ｆ３の縁部には側壁が立設されており、その側壁には、図２８に示すように、複数の開口部ｔ１が形成されている。
【００６８】
かかる開口部ｔ１は、遊技機（パチンコ遊技機Ｐ及びスロットマシンＳ）が設置される部位に対応した位置にそれぞれ形成されており、パチンコ遊技機Ｐが設置される部位に対応した開口部ｔ１には、パチンコ遊技機Ｐに遊技球を案内する第１案内手段Ａ１が取り付け可能とされている。この第１案内手段Ａ１は、図３０に示すように、パチンコ遊技機Ｐまで延設された案内部材Ｄ１（例えば蛇腹状部材）が取り付けられており、延設部ｆ３を転がった遊技球を受け得るとともに、その遊技球を案内部材Ｄ１を介してパチンコ遊技機Ｐまで案内し得るよう構成されている。
【００６９】
メダル補給手段１２は、スロットマシンＳにメダルを補給するためのもので、図１に示すように、モータＭ３の出力軸と連結された駆動プーリＰ５と従動プーリＰ６との間に懸架されつつ回動可能な無端状の搬送ベルト１２ａを有して構成されている。すなわち、遊技球補給手段１１及びメダル補給手段１２は、駆動源としてのモータＭ３を共用しつつそれぞれ独立した搬送ベルト１１ａ、１２ａを有しているのである。なお、遊技球補給手段１１及びメダル補給手段１２のそれぞれにモータ等の駆動源を配設し、搬送ベルト１１ａ、１２ａをそれぞれ回動させるようにしてもよい。
【００７０】
また、本体ｆ１の側面（図２８、２９中左側の側面）には側壁が立設されており、その側壁には、図２８に示すように、複数の開口部ｔ２が形成されている。かかる開口部ｔ２は、遊技機（パチンコ遊技機Ｐ及びスロットマシンＳ）が設置される部位に対応した位置にそれぞれ形成されており、パチンコ遊技機Ｐが設置される部位に対応した開口部ｔ２には、蓋部Ｉが取り付けられるとともに、スロットマシンＳが設置される部位に対応した開口部ｔ２には、スロットマシンＳにメダルを案内する第２案内手段Ａ２が取り付け可能とされている。
【００７１】
この第２案内手段Ａ２は、図３１に示すように、スロットマシンＳまで延設された案内部材Ｄ２（例えば蛇腹状部材）が取り付けられており、振り分け手段Ｅにて振り分けられたメダルを受け得るとともに、そのメダルを案内部材Ｄ２を介してスロットマシンＳまで案内し得るよう構成されている。かかる振り分け手段Ｅは、振り分け板材Ｅａと、通電により作動して振り分け板材Ｅａを上下動させるソレノイドＥｂとを有しており、当該振り分け板材ＥａがソレノイドＥｂの作動により下降（図３１における２点鎖線で示す状態から実線で示す状態に移動）すると、搬送ベルト１２ａに近接し、当該搬送ベルト１２ａにて搬送されるメダルが第２案内手段Ａ２側に至るようになっている。しかして、所望の振り分け手段ＥにおけるソレノイドＥｂを選択的に通電することにより、搬送ベルト１２にて搬送される過程のメダルを第２案内手段Ａ２によりスロットマシンＳまで案内して補給することが可能とされている。
【００７２】
上記したように、本実施形態に係る島設備においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機（パチンコ遊技機Ｐ又はスロットマシンＳ）に応じて第１案内手段Ａ１及び第２案内手段Ａ２が遊技球補給手段１１又はメダル補給手段１２の任意位置に設置可能とされている。
【００７３】
しかるに、遊技球補給手段１１にてパチンコ遊技機Ｐに補給された遊技球は、当該パチンコ遊技機Ｐにて遊技媒体として使用された後、遊技球回収手段４にて再び回収されることとなり、島設備内において循環することとなる。また、メダル補給手段１２にてスロットマシンＳに補給されたメダルは、当該スロットマシンＳにて遊技媒体として使用された後、メダル回収手段５にて再び回収されることとなり、島設備内において循環することとなる。
【００７４】
上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動可能な載置台３が取り付けられた載置手段１と、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４とを具備したので、解体することなくパチンコ遊技機及びスロットマシンのどちらも設置とすることができるとともに、容易かつ円滑にパチンコ遊技機ＰとスロットマシンＳとを任意選択的に設置することができ、設置状態の切り替え時の作業性を向上することができる。
【００７５】
また、本実施形態に係る操作手段１４は、柱部（Ｈ１〜Ｈ５）に形成されたボス部Ｂ１、Ｂ２（被係止部）と係止可能な係止部１４ａを有するとともに、当該係止部１４ａをボス部Ｂ１、Ｂ２（被係止部）に係止させて載置手段１を固定させる係止位置と、当該係止部１４ａのボス部Ｂ１、Ｂ２（被係止部）に対する係止を解除する解除位置との間で移動し得るので、載置手段１の柱部（Ｈ１〜Ｈ５）に対する係止及び係止の解除をより確実に行わせることができる。
【００７６】
さらに、本実施形態に係る操作手段１４は、操作者が引っ張り操作可能なレバー部１４ｂを有し、当該レバー部１４ｂに対する引っ張り操作によって係止位置から解除位置に移動可能とされたので、載置手段１の柱部（Ｈ１〜Ｈ５）に対する係止の解除操作をより円滑かつ容易に行わせることができる。またさらに、操作手段１４は、解除位置から係止位置に付勢するコイルスプリング１４ｃ（付勢手段）を具備したので、操作手段１４を操作する操作者の手を緩めれば自然に載置手段１を柱部（Ｈ１〜Ｈ５）に係止させることができ、載置手段１の柱部（Ｈ１〜Ｈ５）に対する係止をより円滑かつ確実に行わせることができる。
【００７７】
また、載置手段１が上方に向かって移動する際、操作手段１４の係止部１４ａと当接して当該係止部１４ａを解除位置に向かって移動させ得る干渉防止部Ｃ１ｃが形成されたので、操作手段１４に対する操作が行われない状態で載置手段１を上方に向かって移動させても、操作手段１４が上側のボス部Ｂ１（被係止部）と干渉してしまうのを防止することができる。
【００７８】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動してフレーム部Ｆに対して所定高さにて固定可能とされた載置台３が取り付けられた載置手段１と、載置手段１が所定高さに固定された状態で柱部（Ｈ１〜Ｈ５）との間の隙間により生じるガタを防止するガタ防止手段１５とを具備したので、解体することなくパチンコ遊技機Ｐ及びスロットマシンＳのどちらも設置とすることができるとともに、所定高さに固定された載置手段１がガタ付いてしまうのを防止して、パチンコ遊技機Ｐ及びスロットマシンの何れを設置した場合であっても、遊技機の安定した設置状態を維持させることができる。
【００７９】
また、載置手段１と、左右の側板部２ａと、上部の上板部２ｂとを一体化させて枠体２を構成するとともに、当該枠体２の側板部２ａにガタ防止手段１５が形成されたので、フレーム部Ｆに対して枠体２全体を安定させることができ、パチンコ遊技機Ｐ及びスロットマシンＳの何れを設置した場合であっても、遊技機の安定した設置状態をより確実に維持させることができる。
【００８０】
さらに、枠体２は、側板部２ａが柱部（Ｈ１〜Ｈ５）に延設された溝形状から成る案内部Ｈ２ａにて案内されて上下方向に移動可能とされるとともに、ガタ防止手段１５は、当該側板部２ａから案内部Ｈ２ａに向かって突出形成された突出部１６を有し、当該突出部１６を案内部Ｈ２ａに当接させることによりガタを防止するので、設置した遊技機がガタ付いてしまうのを、より確実に防止することができる。
【００８１】
またさらに、突出部１６は、側板部２ａの所定部位に取り付けられる揺動軸１５ｂを中心として揺動可能なアーム部１５ａに形成されるとともに、当該アーム部１５ａを揺動操作することにより、突出部１６が案内部Ｈ２ａと当接する当接位置と、当該突出部１６が案内部Ｈ２ａから離間した離間位置との間で移動可能とされたので、ガタ防止のための作業性を向上させることができるとともに、載置手段１の移動をより容易に行わせることができる。
【００８２】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して柱部（Ｈ１〜Ｈ５）に対して所定高さにて固定可能とされた載置台３が取り付けられた載置手段１と、載置手段１が所定高さに固定された状態で、その固定位置から下方に落下するのを防止する落下防止手段１８とを具備したので、解体することなくパチンコ遊技機Ｐ及びスロットマシンＳのどちらも設置とすることができるとともに、遊技機の載置手段１が誤って落下してしまうのを防止することができ、設置状態の切り替え時の作業性を向上することができる。
【００８３】
また、本実施形態に係る載置手段１は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定され、かつ、落下防止手段１８は、載置手段１が第２位置Ｓａより下方に落下するのを防止し得るので、載置手段１の第１位置Ｐａと第２位置Ｓａとの間の移動を円滑に行わせることができ、かつ、遊技機の載置手段１が第２位置Ｓａから誤って落下してしまうのを防止することができ、設置状態の切り替え時の作業性を向上することができる。
【００８４】
またさらに、本実施形態に係る落下防止手段１８は、載置手段１の移動方向に伸縮可能なリンク状部材から成るとともに、載置すべき遊技機に応じて載置手段１が第１位置Ｐａと第２位置Ｓａとの間で移動するのを許容しつつ第２位置Ｓａより下方に落下するのを防止し得るので、遊技機の載置手段１が第２位置Ｓａから誤って落下してしまうのを、より確実に防止することができ、設置状態の切り替え時の作業性をより一層向上することができる。
【００８５】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して当該柱部（Ｈ１〜Ｈ５）に対して係止して所定高さにて固定可能とされた載置台３が取り付けられた載置手段１と、載置手段１の柱部（Ｈ１〜Ｈ５）に対する係止を解除するのを規制する規制手段Ｃ１、Ｃ２とを具備したので、解体することなくパチンコ遊技機Ｐ及びスロットマシンＳのどちらも設置とすることができるとともに、遊技機の載置手段１の係止が誤って解除されてしまうのを防止することができる。
【００８６】
特に、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備するものとされ、規制手段Ｃ１、Ｃ２は、当該操作手段１４の操作を規制するので、載置手段１の係止及び係止の解除のための操作をより円滑に行わせることができ、かつ、遊技機の載置手段１の係止が誤って解除されてしまうのを防止することができる。
【００８７】
また、本実施形態に係る操作手段１４は、操作者が引っ張り操作可能なレバー部１４ｂを有し、当該レバー部１４ｂに対する引っ張り操作によって係止位置から解除位置に移動可能とされるとともに、規制手段Ｃ１、Ｃ２は、レバー部１４ｂの引っ張り操作を規制するので、レバー部１４ｂによって操作性をより向上させることができ、かつ、規制手段Ｃ１、Ｃ２にてレバー部１４ｂを誤って引っ張り操作してしまうのを確実に防止することができる。
【００８８】
またさらに、載置手段１が上方に向かって移動する際、操作手段１４の係止部１４ａと当接して当該係止部１４ａを解除位置に向かって移動させ得る干渉防止部Ｃ１ｃが形成されるとともに、当該干渉防止部Ｃ１ｃは、規制手段Ｃ１に一体形成されて成るので、操作手段１４に対する操作が行われない状態で載置手段１を上方に向かって移動させても、操作手段１４がボス部Ｂ１（被係止部）と干渉してしまうのを防止することができ、かつ、当該ボス部Ｂ１（被係止部）との干渉防止機能と規制手段による規制機能とを兼用させることができる。
【００８９】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して当該柱部（Ｈ１〜Ｈ５）に対して係止して所定高さにて固定可能とされた載置台３が取り付けられた載置手段１とを具備し、当該載置台３に複数のパチンコ遊技機Ｐ又は複数のスロットマシンＳを載置させるので、解体することなくパチンコ遊技機Ｐ及びスロットマシンＳのどちらも設置とすることができるとともに、柱部（Ｈ１〜Ｈ５）を削減することができ、製造コストを低減させることができる。
【００９０】
特に、本実施形態においては、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備したので、容易かつ円滑にパチンコ遊技機ＰとスロットマシンＳとを任意選択的に設置することができ、設置状態の切り替え時の作業性を向上することができる。
【００９１】
また、本実施形態においては、載置手段１と、左右の側板部２ａと、上部の上板部２ｂとを一体化させて枠体２を構成するとともに、フレーム部Ｆの柱部（Ｈ１〜Ｈ５）に対して当該枠体２が一体的に上下動可能とされたので、枠体２に対して複数の遊技機（パチンコ遊技機Ｐ又はスロットマシンＳ）を設置することができ、設置状態の切り替え時の作業性をより向上することができる。
【００９２】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して当該柱部（Ｈ１〜Ｈ５）に対して係止して所定高さにて固定可能とされた載置台３が取り付けられた載置手段１と、載置手段１の下部から床面ｆまで延設され、当該載置手段１を支持するとともに、載置台３の固定位置に応じて長さ寸法が調整可能とされた支持手段１９とを具備したので、解体することなくパチンコ遊技機Ｐ及びスロットマシンＳのどちらも設置とすることができるとともに、遊技機を設置した際の強度を十分に保持することができる。
【００９３】
また、本実施形態に係る支持手段１９は、載置手段１の下部における任意位置に取り付け可能とされ、その位置で載置手段１を支持するので、載置手段１に設置される遊技機の種類や設置状況等に伴って変化する荷重バランスに応じて、支持手段１９の取り付け位置を任意に変更することができる。なお、支持手段１９の載置手段１に対する取り付け方法は、種々汎用の手段を採用することができる。また、本実施形態においては、専ら複数の遊技機が設置された載置手段１に対して支持手段１９を取り付けているが、１台の遊技機が設置された載置手段１’に対して支持手段１９を取り付けるようにしてもよい。
【００９４】
さらに、本実施形態においては、載置手段１の載置台３には、複数のパチンコ遊技機Ｐ又は複数のスロットマシンＳを載置させるので、柱部（Ｈ１〜Ｈ５）を削減することができ、製造コストを低減させることができるとともに、支持手段１９によって、複数の遊技機を載置すべく大型化した載置手段１を確実に支持することができる。特に、本実施形態においては、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備するので、支持手段１９によって、複数の遊技機を載置すべく大型化した載置手段を確実に支持することができるとともに、操作手段１４によって、大型化した載置手段の上下方向の移動をより円滑に行わせることができる。
【００９５】
またさらに、本実施形態においては、載置手段１と、左右の側板部２ａと、上部の上板部２ｂとを一体化させて枠体２を構成するとともに、フレーム部Ｆの柱部（Ｈ１〜Ｈ５）に対して当該枠体２が一体的に上下動可能とされたので、枠体２に対して支持手段１９による支持を行わせることができ、設置状態の切り替え時の作業性をより向上することができる。
【００９６】
さらに、上記実施形態に係る島設備によれば、遊技球案内手段６は、載置手段１にスロットマシンＳを載置した際、そのスロットマシンＳからメダル回収手段５までの間のメダルの排出経路から外れた退避位置まで移動可能とされたので、解体することなくパチンコ遊技機Ｐ及びスロットマシンＳのどちらも設置とすることができるとともに、パチンコ遊技機Ｐ又はスロットマシンＳの何れが設置された場合であっても、当該パチンコ遊技機Ｓ又はスロットマシンＳから排出された遊技球及びメダルを確実かつ円滑に回収させることができる。
【００９７】
また、遊技球案内手段６は、遊技球回収手段４の上部において揺動自在に取り付けられ、揺動して跳ね上げた状態とすることにより退避位置まで移動可能とされたので、スロットマシンＳの設置状態とパチンコ遊技機Ｐの設置状態とを容易に変更することができる。しかるに、本実施形態においては、遊技球案内手段６は、遊技球回収手段４の上部において揺動自在に取り付けられ、揺動して跳ね上げた状態とすることにより退避位置まで移動可能とされているが、これに代えて、遊技球案内手段が遊技球回収手段４の上部に対して脱着可能に取り付けられ、取り外されることにより退避位置まで移動可能とするものとしてもよい。この場合、パチンコ遊技機Ｐの設置状態からスロットマシンＳの設置状態に変更した際、遊技球案内手段６が邪魔になってしまうのを確実に回避することができる。
【００９８】
さらに、本実施形態に係る遊技球案内手段６は、パチンコ遊技機Ｐから排出された遊技球を受けて遊技球回収手段４まで案内し得る受け面が形成されたので、パチンコ遊技機Ｐから排出された遊技球を確実に遊技球回収手段４まで案内することができる。またさらに、本実施形態においては、遊技球案内手段６が退避位置とされた状態で、スロットマシンＳから排出されたメダルをメダル回収手段５まで案内するメダル案内手段８が取り付けられるので、スロットマシンＳから排出されたメダルを確実にメダル回収手段５まで案内することができる。
【００９９】
なお、本実施形態においては、遊技機を載置可能な載置台３を有するとともに、該載置台３に載置される遊技機に応じて上下方向に移動可能とされ、かつ、所定高さにて固定可能とされた載置手段１を具備したので、パチンコ遊技機Ｐ及びスロットマシンＳを低コストにて任意に設置することができるとともに、島設備を解体することなくパチンコ遊技機Ｐ及びスロットマシンＳのどちらも設置することができる。また、パチンコ遊技機Ｐの設置及びスロットマシンＳの設置を共用し得るので、パチンコ遊技機ＰとスロットマシンＳとを混合させつつそれぞれを規定の設置状態にて容易かつ円滑に設置することができる。
【０１００】
特に、本実施形態に係る載置台３は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されたので、パチンコ遊技機ＰとスロットマシンＳとを混合させつつそれぞれを規定の設置状態にて円滑かつ確実に設置することができる。
【０１０１】
また、本実施形態に係る載置手段１は、左右一対の側板部２ａと、当該側板部２ａを連結する下板部２ｃ及び上板部２ｂとから成る枠体２を有し、載置台３が当該枠体２に取り付けられて構成されるとともに、当該載置台３に載置された遊技機（パチンコ遊技機Ｐ又はスロットマシンＳ）の上部を上板部２ｂにて支持するので、載置台３を含む枠体２全体を遊技機に応じて上下方向に移動することができ、遊技機を設置する際の作業性をより向上させることができる。さらに、枠体２の上下方向に対する移動を案内する案内部（Ｈ２ａ）が形成されたので、パチンコ遊技機ＰとスロットマシンＳとを混合させつつそれぞれを規定の設置状態にてより円滑かつ確実に設置することができる。
【０１０２】
またさらに、本実施形態によれば、パチンコ遊技機Ｐから排出された遊技球を回収する遊技球回収手段４と、スロットマシンＳから排出されたメダルを回収するメダル回収手段５とが上下に並設されるとともに、遊技球回収手段４の方がメダル回収手段５より上側に位置するので、パチンコ遊技機Ｐ及びスロットマシンＳから排出される遊技球及びメダルの回収を確実かつ円滑に行わせることができる。
【０１０３】
また、本実施形態に係る載置台３は、遊技機（具体的には、スロットマシンＳ）を載置する部位の近傍に切欠きｋが形成され、スロットマシンＳから排出されたメダルをメダル回収手段５まで案内するメダル案内手段８が当該切欠きｋに取付可能とされたので、載置手段１（具体的には、載置台３）にスロットマシンＳを載置させた際のメダルの回収を確実に行わせることができる。
【０１０４】
さらに、本実施形態によれば、遊技機を載置可能とされるとともに載置される遊技機に応じて前後方向に移動して所定位置にて固定可能とされた載置台３が取り付けられた載置手段１を具備したので、パチンコ遊技機Ｐ及びスロットマシンＳを低コストにて任意に設置することができるとともに、パチンコ遊技機ＰとスロットマシンＳとを混合させつつそれぞれを規定の設置状態にて容易かつ円滑に設置することができる。
【０１０５】
特に、本実施形態に係る載置台３は、パチンコ遊技機Ｐが載置された状態の前後方向第１位置Ｐｂと、スロットマシンＳが載置された状態の前後方向第２位置Ｓｂとの間で移動可能とされるとともに、当該前後方向第１位置Ｐｂの方が前後方向第２位置Ｓｂより前方の位置に設定されたので、パチンコ遊技機ＰとスロットマシンＳとを混合させつつそれぞれを規定の設置状態にて円滑かつ確実に設置することができる。
【０１０６】
またさらに、本実施形態によれば、パチンコ遊技機Ｐから排出された遊技球を遊技球回収手段４まで案内する遊技球案内手段６を具備したので、載置手段１にパチンコ遊技機Ｐを載置させた際の遊技球の回収を確実に行わせることができる。加えて、本実施形態によれば、遊技球案内手段６と、メダル案内手段８とを具備したので、パチンコ遊技機Ｐから排出された遊技球とスロットマシンＳから排出されたメダルとを区分けして、これら遊技球及びメダルが混入してしまうのを回避しつつそれぞれを確実に回収させることができる。
【０１０７】
さらに、本実施形態に係る載置手段１は、左右一対の側板部２ａと、当該側板部２ａを連結する下板部２ｃ及び上板部２ｂとから成る枠体２を有し、載置台３が当該枠体２に取り付けられて構成されるとともに、当該枠体２に対して載置台３が前後に移動可能とされ、かつ、当該載置台３に載置された遊技機（パチンコ遊技機Ｐ又はスロットマシンＳ）の上部を上板部２ｂにて支持するので、載置する遊技機に応じて載置台３を前後させつつその遊技機の上部を支持させることができ、遊技機を設置する際の作業性をより向上させることができる。
【０１０８】
また、パチンコ遊技機Ｐから排出された遊技球を回収する遊技球回収手段４と、スロットマシンＳから排出されたメダルを回収するメダル回収手段５とが上下に並設されるとともに、遊技球回収手段４がメダル回収手段５より上方の位置に配設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【０１０９】
すなわち、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【０１１０】
特に、本実施形態において、パチンコ遊技機Ｐの方がスロットマシンＳより上方の位置に載置されたので、パチンコ遊技機ＰとスロットマシンＳとを混合させつつそれぞれを規定の設置状態にて容易かつ円滑に設置することができる。すなわち、島設備に設置される遊技機においては、パチンコ遊技機Ｐに対する操作位置（ハンドル位置）はスロットマシンＳに対する遊技位置（押圧ボタン位置）より高い位置にあり、パチンコ遊技機Ｐの方がスロットマシンＳより上方の位置にて遊技されるので、その遊技位置に応じた規定の設置状態とすることができるのである。
【０１１１】
またさらに、本実施形態に係る遊技球回収手段４及びメダル回収手段５は、それぞれ独立した駆動源（具体的には、モータＭ１及びモータＭ２）を具備するとともに、それぞれが任意速度で駆動され得るので、回収すべき遊技媒体（遊技球又はメダル）に応じて駆動速度を設定（例えば遊技球回収手段４の搬送速度の方がメダル回収手段５の搬送速度より遅く設定する等）することができ、より確実かつ円滑に遊技球又はメダルを回収させることができる。
【０１１２】
さらに、本実施形態によれば、パチンコ遊技機Ｐから排出された遊技球を回収する遊技球回収手段４と、スロットマシンＳから排出されたメダルを回収するメダル回収手段５とが上下に並設されるとともに、当該遊技球回収手段４及びメダル回収手段５は、島設備の幅方向Ｗに対して中央で延設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【０１１３】
すなわち、上述したように、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【０１１４】
加えて、遊技球回収手段４及びメダル回収手段５が島設備の幅方向Ｗに対して中央で延設されたので、島設備における一方の面に設置された遊技機から遊技球回収手段４及びメダル回収手段５までの離間寸法と、島設備における他方の面に設置された遊技機から遊技球回収手段４及びメダル回収手段５までの離間寸法とを略同一とすることができ、パチンコ遊技機から排出された遊技球の回収とスロットマシンから排出されたメダルの回収とを円滑かつ確実に行わせることができる。
【０１１５】
さらに、本実施形態によれば、パチンコ遊技機Ｐに遊技球を補給する遊技球補給手段１１と、スロットマシンＳにメダルを補給するメダル補給手段１２とを有するとともに、当該遊技球補給手段１１及びメダル補給手段１２は、左右に並設された搬送コンベアから成るので、パチンコ遊技機ＰとスロットマシンＳとを混合して設置させた場合であっても、当該パチンコ遊技機Ｐ及びスロットマシンＳのそれぞれに補給する遊技球及びメダルを確実かつ円滑に補給させることができる。
【０１１６】
特に、本実施形態においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機に応じて第１案内手段Ａ１及び第２案内手段Ａ２が遊技球補給手段１１又はメダル補給手段１２の任意位置に設置可能とされたので、設置島に対して任意の位置にパチンコ遊技機Ｐ又はスロットマシンＳを設置することができる。
【０１１７】
また、本実施形態に係る遊技球補給手段１１及びメダル補給手段１２は、それぞれ独立した搬送ベルト１１ａ、１２ａを有するので、遊技球補給手段１１又はメダル補給手段１２における搬送ベルト１１ａ、１２ａの何れか一方が破損又は変形した際、その搬送ベルトのみ交換することができる。また、遊技媒体（遊技球又はメダル）に応じた搬送面を有した搬送ベルト１１ａ、１２ａを用いることができ、より確実かつ円滑に遊技球及びメダルを搬送して対応する遊技機に補給させることができる。
【０１１８】
以上、本実施形態について説明したが、本発明はこれに限定されるものではなく、載置手段１について、遊技機を載置可能とされるとともに載置される遊技機に応じて上下方向に移動して所定高さに固定可能な載置台３を有するものであれば足り、例えば枠体２を有さないもの、或いは第１位置と第２位置との間の他、他の位置にも移動可能な載置台を有するものとしてもよい。なお、本実施形態に係る載置台３は、載置される遊技機に応じて前後方向に移動して所定位置にて固定可能とされているが、前後方向に移動せず、専ら上下方向に移動して所定高さに固定可能なものとしてもよい。
【０１１９】
また、操作手段１４は、柱部に係止して載置手段１を固定させるとともに、所定の操作によって当該係止を解除して当該載置手段１を柱部に対して上下方向に移動可能とさせ得るものであれば、上記実施形態と異なる構成のものであってもよい。さらに、ガタ防止手段１５は、載置手段１が所定高さに固定された状態で柱部との間の隙間により生じるガタを防止するものであれば、上記実施形態と異なる構成のものであってもよい。また、支持手段１９は、載置手段１の下部から床面ｆまで延設され、当該載置手段１を支持するとともに、載置台３の固定位置に応じて長さ寸法が調整可能とされたものであれば、上記実施形態と異なる構成のものであってもよい。
【０１２０】
またさらに、落下防止手段１８は、載置手段１が所定高さに固定された状態で、その固定位置から下方に落下するのを防止するものであれば、上記実施形態と異なる構成のものであってもよい。また、規制手段Ｃ１、Ｃ２は、載置手段１の柱部に対する係止を解除するのを規制するものであれば、上記実施形態と異なる構成のものであってもよい。さらに、本実施形態においては、規制手段Ｃ１の所定部位に干渉防止部Ｃ１ｃが一体的に形成されているが、規制手段Ｃ１とは別個に干渉防止部を形成するようにしてもよい。
【０１２１】
なお、遊技媒体（遊技球及びメダル）を回収するための遊技球回収手段４及びメダル回収手段５は、上記実施形態のものに限定されず、他の形態のものとしてもよい。なお、遊技球及びメダルを混在させつつ回収した後、それら遊技球とメダルとを選別してパチンコ遊技機Ｐ及びスロットマシンＳに補給するようにしてもよい。さらに、遊技球補給手段１０及びメダル補給手段１２は、上記実施形態のものに限定されず、他の形態のものとしてもよく、或いは遊技機に対する遊技球又はメダルの何れか一方若しくは両方の補給を作業員が手作業にて行うものとしてもよい。
【産業上の利用可能性】
【０１２２】
パチンコ遊技機及びスロットマシンから成る遊技機を任意選択的に設置可能な島設備であって、床面に固設されるとともに、上下に延びる柱部が形成されたフレーム部と、遊技機を載置可能とされるとともに、載置される遊技機に応じて柱部に沿って上下方向に移動可能な載置台が取り付けられた載置手段と、柱部に係止して載置手段を固定させるとともに、所定の操作によって当該係止を解除して当該載置手段を柱部に対して上下方向に移動可能とさせ得る操作手段とを具備したものであれば、外観形状が異なるもの或いは他の機能が付加されたもの等にも適用することができる。
【符号の説明】
【０１２３】
１  載置手段
２  枠体
３  載置台
４  遊技球回収手段
５  メダル回収手段
６  遊技球案内手段
７  支持フレーム
８  メダル案内手段
９  遊技球揚送手段
１０  メダル揚送手段
１１  遊技球補給手段
１２  メダル補給手段
１３  遊技機用椅子
１４  操作手段
１５  ガタ防止手段
１６  突出部
１７  コイルスプリング（付勢手段）
１８  落下防止手段
１９  支持手段
２０  高さ調整手段
Ｐ  パチンコ遊技機
Ｓ  スロットマシン
【図１】
2014108236.tif 000003
【図２】
2014108236.tif 000004
【図３】
2014108236.tif 000005
【図４】
2014108236.tif 000006
【図５】
2014108236.tif 000007
【図６】
2014108236.tif 000008
【図７】
2014108236.tif 000009
【図８】
2014108236.tif 000010
【図９】
2014108236.tif 000011
【図１０】
2014108236.tif 000012
【図１１】
2014108236.tif 000013
【図１２】
2014108236.tif 000014
【図１３】
2014108236.tif 000015
【図１４】
2014108236.tif 000016
【図１５】
2014108236.tif 000017
【図１６】
2014108236.tif 000018
【図１７】
2014108236.tif 000019
【図１８】
2014108236.tif 000020
【図１９】
2014108236.tif 000021
【図２０】
2014108236.tif 000022
【図２１】
2014108236.tif 000023
【図２２】
2014108236.tif 000024
【図２３】
2014108236.tif 000025
【図２４】
2014108236.tif 000026
【図２５】
2014108236.tif 000027
【図２６】
2014108236.tif 000028
【図２７】
2014108236.tif 000029
【図２８】
2014108236.tif 000030
【図２９】
2014108236.tif 000031
【図３０】
2014108236.tif 000032
【図３１】
2014108236.tif 000033